【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
コロナ点火システムにおいてコロナ点火器の共振周波数を検出するための方法であって、
第１のパルス持続時間中に第１のエネルギのパルスをコロナ点火器に正電圧で供給し、前記コロナ点火器に電流を流れさせるステップと、
前記コロナ点火器に流れる電流がゼロと交差する前に前記第１のパルス持続時間を終了させ、前記第１のパルス持続時間を終了させた直後の第１のデッドタイム持続時間中に前記コロナ点火器にエネルギを供給しないステップと、
前記コロナ点火器に流れる電流が前記第１のデッドタイム持続時間中にいつゼロと交差するかを検出するステップと、
電流のゼロ交差に応答して、第２のパルス持続時間中に第２のエネルギのパルスを前記コロナ点火器に負電圧で供給して、前記第１のデッドタイム持続時間を終了させるステップと、
電流がゼロと交差する前に前記第２のパルス持続時間を終了させ、前記第２のパルス持続時間を終了させた直後の第２のデッドタイム持続時間中に前記コロナ点火器にエネルギを供給しないステップと、
前記コロナ点火器に流れる電流が前記第２のデッドタイム持続時間中にいつゼロと交差するかを検出するステップと、
電流のゼロ交差に応答して、第３のエネルギのパルスを前記コロナ点火器に正電圧で供給して、前記第２のデッドタイム持続時間を終了させるステップと、
前記第１のパルス持続時間、前記第１のデッドタイム持続時間、前記第２のパルス持続時間、および前記第２のデッドタイム持続時間の和に基づいて第１の共振周波数値を取得するステップとを備える、方法。
【請求項２】
前記コロナ点火器にエネルギを供給している間に、取得された前記第１の共振周波数値と等しい駆動周波数で前記コロナ点火器にエネルギを印加することを含む、請求項１に記載の方法。
【請求項３】
前記第１の共振周波数値を取得するステップは、前記和を半分に分割して、前記共振周波数の２分の１サイクルの持続時間を決定することを含む、請求項１に記載の方法。
【請求項４】
前記正電圧は電流を正の方向に流れさせ、前記負電圧は電流を負の方向に流れさせ、前記電流は、前記第１のデッドタイム持続時間中に一度だけゼロと交差し、前記第２のデッドタイム持続時間中に一度だけゼロと交差する、請求項１に記載の方法。
【請求項５】
前記第２のパルス持続時間は前記第１のパルス持続時間より長く、前記第２のデッドタイム持続時間は前記第１のデッドタイム持続時間未満である、請求項１に記載の方法。
【請求項６】
前記第１のパルス持続時間を終了させるステップが、前記コロナ点火器に流れる電流がゼロと交差する前に行われるように、前記システムの構成要素のいずれかの遅延に基づいて前記第１のパルス持続時間を設定することを含む、請求項１に記載の方法。
【請求項７】
前記コロナ点火器にエネルギを供給している間に、取得された前記第１の共振周波数値と一致するように前記コロナ点火器に供給される前記エネルギの駆動周波数を調整することを含む、請求項１に記載の方法。
【請求項８】
第３のパルス持続時間中に第３のエネルギのパルスを前記コロナ点火器に供給することと、
前記コロナ点火器に流れる電流がゼロと交差する前に前記第３のパルス持続時間を終了させ、前記第３のパルス持続時間を終了させた直後の第３のデッドタイム持続時間中に前記コロナ点火器にエネルギを供給しないことと、
前記コロナ点火器に流れる電流が前記第３のデッドタイム持続時間中にいつゼロと交差するかを検出することと、
電流のゼロ交差に応答して、第４のパルス持続時間中に第４のエネルギのパルスを前記コロナ点火器に負電圧で供給して、前記第３のデッドタイム持続時間を終了させることと、
前記コロナ点火器に流れる電流がゼロと交差する前に前記第４のパルス持続時間を終了させ、前記第４のパルス持続時間を終了させた直後の第４のデッドタイム持続時間中に前記コロナ点火器にエネルギを供給しないことと、
前記コロナ点火器に流れる電流が前記第４のデッドタイム持続時間中にいつゼロと交差するかを検出することと、
電流のゼロ交差に応答して、第５のエネルギのパルスを前記コロナ点火器に正電圧で供給して、前記第４のデッドタイム持続時間を終了させることと、
前記第３のパルス持続時間、前記第３のデッドタイム持続時間、前記第４のパルス持続時間、および前記第４のデッドタイム持続時間の和に基づいて第２の共振周波数値を取得することとを含む、請求項１に記載の方法。
【請求項９】
前記第４のパルス持続時間は前記第３のパルス持続時間より長く、前記第４のデッドタイム持続時間は前記第３のデッドタイム持続時間未満である、請求項８に記載の方法。
【請求項１０】
前記第５のエネルギのパルス後に前記コロナ点火器に供給される複数のエネルギのパルスを含み、前記エネルギのパルスの各々は、パルス持続時間中に供給され、エネルギが前記コロナ点火器に供給されないデッドタイム持続時間の分だけ互いに離間され、前記パルス持続時間は時間とともに増大し、前記デッドタイム持続時間は時間とともに減少する、請求項８に記載の方法。
【請求項１１】
前記第１の共振周波数値および前記第２の共振周波数値を取得するステップは、エネルギが前記コロナ点火器に供給されている間、かつ前記コロナ点火器がコロナ放電を供給している間に行われる、請求項８に記載の方法。
【請求項１２】
コロナ点火システムにおいてコロナ点火器の共振周波数を検出するための方法であって、
第１のエネルギのパルスを前記コロナ点火器に正電圧で供給し、前記コロナ点火器に電流を流れさせるステップと、
前記コロナ点火器に流れる電流がゼロと交差する前に前記第１のパルスを終了させ、前記第１のエネルギのパルスを終了させた直後の第１のデッドタイム持続時間中に前記コロナ点火器にエネルギを供給しないステップと、
第１のゼロ交差持続時間を取得するステップとを含み、前記第１のゼロ交差持続時間は、前記第１のエネルギのパルスの開始時に始まり、前記第１のゼロ交差で終わり、さらに、
前記第１のゼロ交差持続時間を２倍にすることによって第１の共振周波数値を取得するステップを備える、方法。
【請求項１３】
コロナ点火システムにおいてコロナ点火器の共振周波数を検出するための方法であって、
第１のエネルギのパルスを前記コロナ点火器に正電圧で供給し、前記コロナ点火器に電流を流れさせるステップと、
前記コロナ点火器に流れる電流がゼロと交差する前に前記第１のパルスを終了させ、前記第１のエネルギのパルスを終了させた直後の第１のデッドタイム持続時間中に前記コロナ点火器にエネルギを供給しないステップと、
第１のゼロ交差持続時間を取得するステップとを備え、前記第１のゼロ交差持続時間は、前記第１のエネルギのパルスの開始時に始まり、前記第１のゼロ交差で終わり、さらに、
電流の前記第１のゼロ交差に応答して、第２のエネルギのパルスを前記コロナ点火器に負電圧で供給して、前記第１のデッドタイム持続時間を終了させるステップと、
電流がゼロと交差する前に前記第２のエネルギのパルスを終了させ、前記第２のエネルギのパルスを終了させた直後の第２のデッドタイム持続時間中に前記コロナ点火器にエネルギを供給しないステップと、
第２のゼロ交差持続時間を取得するステップとを備え、前記第２のゼロ交差持続時間は、前記第１のゼロ交差に始まり、前記第２のゼロ交差で終わり、さらに、
前記第１のゼロ交差持続時間および前記第２のゼロ交差持続時間の和に基づいて第１の共振周波数値を取得するステップを備える、方法。
【請求項１４】
コロナ点火システムにおいてコロナ点火器の共振周波数を検出するためのシステムであって、
第１のパルス持続時間中に第１のエネルギのパルスをエネルギ源からコロナ点火器に正電圧で供給し、前記コロナ点火器に電流を流れさせる第１のスイッチを備え、
前記第１のスイッチは、前記コロナ点火器に流れる電流がゼロと交差する前に前記第１のパルス持続時間を終了させ、前記第１のパルス持続時間を終了させた直後の第１のデッドタイム持続時間中に前記コロナ点火器にエネルギを供給せず、さらに、
前記コロナ点火器に流れる電流が前記第１のデッドタイム持続時間中にいつゼロと交差するかを検出し、電流のゼロ交差に応答して、第２のエネルギのパルスを前記コロナ点火器に供給するように駆動信号を開始する周波数検出器と、
前記駆動信号を受信し、第２のパルス持続時間中に第２のエネルギのパルスを前記エネルギ源から前記コロナ点火器に負電圧で供給し、前記第１のデッドタイム持続時間を終了させる第２のスイッチとを備え、
前記第２のスイッチは、前記コロナ点火器に流れる電流がゼロと交差する前に前記第２のパルス持続時間を終了させ、前記第２のパルス持続時間を終了させた直後の第２のデッドタイム持続時間中に前記コロナ点火器にエネルギを供給せず、
前記周波数検出器は、前記コロナ点火器に流れる電流が前記第２のデッドタイム持続時間中にいつゼロと交差するかを検出し、電流のゼロ交差に応答して、前記コロナ点火器に第３のエネルギのパルスを供給するように駆動信号を開始し、
前記第１のスイッチは、前記駆動信号を受信し、前記第３のエネルギのパルスを前記エネルギ源から前記コロナ点火器に正電圧で供給し、前記第２のデッドタイム持続時間を終了させ、
前記周波数検出器は、前記第１のパルス持続時間、前記第１のデッドタイム持続時間、前記第２のパルス持続時間、および前記第２のデッドタイム持続時間の和に基づいて第１の共振周波数値を取得する、システム。
【請求項１５】
前記周波数検出器は、前記コロナ点火器に流れる電流を取得し、前記電流のゼロ交差を判定する電流センサを含む、請求項１４に記載のシステム。
【請求項１６】
前記周波数検出器は、検出された前記電流のゼロ交差を前記電流センサから受取り、前記第１のパルス持続時間、前記第１のデッドタイム持続時間、前記第２のパルス持続時間、および前記第２のデッドタイム持続時間の和に基づいて前記第１の共振周波数値を決定するためのコントローラを含む、請求項１５に記載のシステム。
【請求項１７】
前記コントローラは、前記コロナ点火器にエネルギが供給されている間に、取得された前記第１の共振周波数値と一致するように、前記コロナ点火器に供給されるエネルギの駆動周波数を調整する、請求項１６に記載のシステム。
【請求項１８】
前記第１の共振周波数値および前記第２の共振周波数値を取得するステップは、前記コロナ点火器にエネルギが供給されている間、かつ前記コロナ点火器がコロナ放電を供給している間に行われる、請求項１６に記載のシステム。
【請求項１９】
前記コントローラは、前記コロナ点火器に流れる電流がゼロと交差する前に前記第１のパルス持続時間が終わるように、前記システムの構成要素のいずれかの遅延に基づいて前記第１のパルス持続時間を設定する、請求項１６に記載のシステム。
【請求項２０】
前記第１のスイッチは、第３のパルス持続時間中に前記第３のエネルギのパルスを前記エネルギ源から前記コロナ点火器に供給し、
前記第１のスイッチは、前記コロナ点火器に流れる電流がゼロと交差する前に前記第３のパルス持続時間を終了させ、前記第３のパルス持続時間を終了させた直後の第３のデッドタイム持続時間中に前記コロナ点火器にエネルギを供給せず、
前記周波数検出器は、前記コロナ点火器に流れる電流が前記第３のデッドタイム持続時間中にいつゼロと交差するかを検出し、前記電流のゼロ交差に応答して、前記コロナ点火器に第４のエネルギのパルスを供給するように駆動信号を開始し、
前記第２のスイッチは、前記駆動信号を受信し、第４のパルス持続時間中に第４のエネルギのパルスを前記エネルギ源から前記コロナ点火器に負電圧で供給し、前記第３のデッドタイム持続時間を終了させ、
前記第２のスイッチは、前記コロナ点火器に流れる電流がゼロと交差する前に前記第４のパルス持続時間を終了させ、前記第４のパルス持続時間を終了させた直後の第４のデッドタイム持続時間中に前記コロナ点火器にエネルギを供給せず、
前記周波数検出器は、前記コロナ点火器に流れる電流が前記第４のデッドタイム持続時間中にいつゼロと交差するかを検出し、電流のゼロ交差に応答して、第５のエネルギのパルスを前記コロナ点火器に供給するように駆動信号を開始し、
前記第１のスイッチは、前記電流のゼロ交差に応答して第５のエネルギのパルスを前記コロナ点火器に正電圧で供給し、前記第４のデッドタイム持続時間を終了させ、
前記周波数検出器は、前記第３のパルス持続時間、前記第３のデッドタイム持続時間、前記第４のパルス持続時間、および前記第４のデッドタイム持続時間の和に基づいて第２の共振周波数値を取得する、請求項１４に記載のシステム。
【請求項２１】
前記第４のパルス持続時間は前記第３のパルス持続時間より長く、前記第４のデッドタイムは前記第３のデッドタイム持続時間未満である、請求項２０に記載のシステム。
【請求項２２】
前記スイッチは、前記第５のエネルギのパルス後に複数のエネルギのパルスを前記エネルギ源から前記コロナ点火器に供給し、前記エネルギのパルスの各々は、パルス持続時間中に供給され、エネルギが前記コロナ点火器に供給されないデッドタイム持続時間の分だけ互いに離間され、前記パルス持続時間は時間とともに増大し、前記デッドタイム持続時間は時間とともに減少する、請求項２０に記載のシステム。
【請求項２３】
コロナ点火システムにおいてコロナ点火器の共振周波数を検出するためのシステムであって、
第１のパルス持続時間中に第１のエネルギのパルスをエネルギ源からコロナ点火器に正電圧で供給し、前記コロナ点火器に電流を流れさせる第１のスイッチを備え、
前記第１のスイッチは、前記コロナ点火器の電流がゼロと交差する前に前記第１のエネルギのパルスを終了させ、前記第１のエネルギのパルスを終了させた直後の第１のデッドタイム持続時間中に前記コロナ点火器にエネルギを供給せず、さらに、
第１のゼロ交差持続時間を２倍にすることによって共振周波数値を取得する周波数検出器を備え、前記第１のゼロ交差持続時間は、前記第１のエネルギのパルスの開始時に始まり、前記第１のゼロ交差で終わる、システム。
【請求項２４】
コロナ点火システムにおいてコロナ点火器の共振周波数を検出するためのシステムであって、
第１のパルス持続時間中に第１のエネルギのパルスをエネルギ源からコロナ点火器に正電圧で供給し、前記コロナ点火器に電流を流れさせる第１のスイッチを備え、
前記第１のスイッチは、前記コロナ点火器の電流がゼロと交差する前に前記第１のパルス持続時間を終了させ、前記第１のエネルギのパルスを終了させた直後の第１のデッドタイム持続時間中に前記コロナ点火器にエネルギを供給せず、さらに、
前記コロナ点火器に流れる電流が前記第１のデッドタイム持続時間中にいつゼロと交差するかを検出し、
電流のゼロ交差に応答して、第２のエネルギのパルスを前記コロナ点火器に供給するように駆動信号を開始する周波数検出器を備え、
前記周波数検出器は、第１のゼロ交差持続時間を取得し、前記第１のゼロ交差持続時間は、前記第１のエネルギのパルスの開始時に始まり、前記第１のゼロ交差で終わり、さらに、
前記駆動信号を受信し、第２のエネルギのパルスを前記エネルギ源から前記コロナ点火器に負電圧で供給し、前記第１のデッドタイム持続時間を終了させる第２のスイッチを備え、
前記第２のスイッチは、前記コロナ点火器に流れる電流がゼロと交差する前に前記第２のパルス持続時間を終了させ、前記第２のエネルギのパルスを終了させた直後の第２のデッドタイム持続時間中に前記コロナ点火器にエネルギを供給せず、
前記周波数検出器は、前記コロナ点火器に流れる電流が前記第２のデッドタイム持続時間中にいつゼロと交差するかを検出し、
前記周波数検出器は、第２のゼロ交差持続時間を取得し、前記第２のゼロ交差持続時間は、前記第１のゼロ交差に始まり、前記第２のゼロ交差で終わり、
前記周波数検出器は、前記第１のゼロ交差持続時間および前記第２のゼロ交差持続時間の和に基づいて第１の共振周波数値を取得する、システム。